(57)【要約】【課題】ユーザに対し情報を想起させることができる情報処理システム、情報表示装置、コンピュータプログラム、及び記録媒体の提供。【解決手段】ウェブページのリンクテキストから抽出した複数のキーワードをキーワード群として、履歴データベースに記憶する（Ｓ３）。そして、知識空間ブラウザを起動し（Ｓ４）、検索キーワードの入力がある場合（Ｓ５：ＹＥＳ）、履歴データベースから検索キーワードを検索し、検索キーワードに関連した関連キーワードがある場合（Ｓ７：ＹＥＳ）、検索キーワード及び関連キーワードに基づいて知識空間を作成して表示する。【選択図】　　　図７
2004054918.tif 000002
【特許請求の範囲】
【請求項１】
複数の第１情報、及び該第１情報の夫々に関連付けられている１又は複数の第２情報を記憶する記憶手段を備え、前記第１情報に対する検索要求を外部から受信し、受信した検索要求に基づいて前記記憶手段を検索した検索結果を前記検索要求の送信元へ送信する第１情報処理装置と、該第１情報処理装置へ検索要求を送信する手段、及び前記第１情報処理装置から送信された検索結果を受信する手段を備え、受信した検索結果を表示する第２情報処理装置とを備える情報処理システムにおいて、
前記第１情報処理装置は、受信した検索要求に基づいて前記記憶手段に記憶された第１情報、及び該第１情報に関連付けられている１又は複数の第２情報を検索する手段と、該手段が検索した第１及び第２情報を送信する手段とを備え、前記第２情報処理装置は、受信した第１及び第２情報を表示する手段と、前記第１情報を表示した領域の近傍と前記第２情報を表示した各領域の近傍との間に線を表示する手段と、表示した第２情報から一の第２情報の選択を受付ける手段と、選択をされた第２情報に基づき前記第１情報とは別の第１情報に対する検索要求を前記第１情報処理装置に送信する手段とを備えることを特徴とする情報処理システム。
【請求項２】
前記第１情報処理装置は、複数の記憶手段を備え、複数の第１情報、及び該第１情報の夫々に関連付けられている１又は複数の第２情報を各記憶手段に記憶しており、検索要求を受信した際、複数の記憶手段から第１及び第２情報を検索すべくなしてあることを特徴とする請求項１に記載の情報処理システム。
【請求項３】
複数の第１情報、及び該第１情報の夫々に関連付けられている１又は複数の第２情報を記憶する記憶手段と、検索すべき情報の入力を受付ける手段と、該手段に入力された情報を前記記憶手段に記憶されている第１情報から検索する手段とを備え、該手段による検索結果を表示すべくなしてある情報表示装置において、
検索された第１情報、及び該第１情報に関連付けられている１又は複数の第２情報を表示する手段と、前記第１情報を表示した領域の近傍と前記第２情報を表示した各領域の近傍との間に線を表示する手段と、表示した第２情報から一の第２情報の選択を受付ける手段と、受付けた選択に係る第２情報に基づき、前記第１情報とは別の第１情報を前記記憶手段から検索する手段とを備えることを特徴とする情報表示装置。
【請求項４】
検索された第１情報を表示する際、前記第１情報が前記記憶手段に記憶されている数に基づき、表示すべき大きさを変更する手段を更に備えることを特徴とする請求項３に記載の情報表示装置。
【請求項５】
前記記憶手段から削除すべき情報の入力を受付ける手段と、該手段から入力された情報を前記記憶手段に記憶されている第１情報及び第２情報から検索する手段と、検索された第１情報又は第２情報を前記記憶手段から削除する手段とを更に備えることを特徴とする請求項３又は請求項４に記載の情報表示装置。
【請求項６】
文書データの入力を受付ける手段と、入力された文書データを表示する手段と、表示した文書データから第１情報及び１又は複数の第２情報を抽出する手段と、抽出した第１情報及び第２情報を関連付けて前記記憶手段に記憶させる手段とを更に備えることを特徴とする請求項３乃至請求項５の何れかに記載の情報表示装置。
【請求項７】
前記文書データを表示した日付に係る日付情報を前記第１及び第２情報に関連付けて記憶する手段を備え、検索された第１情報を日付毎に表示可能になしてあることを特徴とする請求項６に記載の情報表示装置。
【請求項８】
前記第１情報及び第２情報は、概念を有する文字列であることを特徴とする請求項６又は請求項７に記載の情報表示装置。
【請求項９】
通信回線を介して外部の情報処理装置へ接続する手段と、前記情報処理装置へ文書データの送信要求情報を送信する手段と、前記情報処理装置から送信された文書データを受信する手段とを更に備えることを特徴とする請求項６乃至請求項８の何れかに記載の情報表示装置。
【請求項１０】
コンピュータに、入力された検索すべき情報を、複数の第１情報の夫々に関連付けられている１又は複数の第２情報が予め記憶された記憶手段から検索させるステップと、該ステップによる検索結果を表示させるステップとを有するコンピュータプログラムにおいて、
コンピュータに、検索された第１情報、及び該第１情報に関連付けられている１又は複数の第２情報を表示させるステップと、コンピュータに、前記第１情報を表示した領域の近傍と前記第２情報を表示した領域の近傍との間に線を表示させるステップと、コンピュータに、表示させた第２情報から一の第２情報の選択を受付けさせるステップと、コンピュータに、コンピュータに、前記選択に係る第２情報に基づき、前記第１情報とは別の第１情報を前記記憶手段から検索させるステップとを有することを特徴とするコンピュータプログラム。
【請求項１１】
コンピュータに、入力された検索すべき情報を、複数の第１情報の夫々に関連付けられている１又は複数の第２情報が予め記憶された記憶手段から検索させるステップと、該ステップによる検索結果を表示させるステップとを有するコンピュータプログラムが記録されているコンピュータでの読取りが可能な記録媒体において、
コンピュータに、検索された第１情報、及び該第１情報に関連付けられている１又は複数の第２情報を表示させるステップと、コンピュータに、前記第１情報を表示した領域の近傍と前記第２情報を表示した領域の近傍との間に線を表示させるステップと、コンピュータに、表示させた第２情報から一の第２情報の選択を受付けさせるステップと、コンピュータに、コンピュータに、前記選択に係る第２情報に基づき、前記第１情報とは別の第１情報を前記記憶手段から検索させるステップとを有するコンピュータプログラムが記録されていることを特徴とするコンピュータでの読取りが可能な記録媒体。
【発明の詳細な説明】
【０００１】
【発明の属する技術分野】
本発明は、ユーザが必要な情報を獲得することができ、検索した情報をユーザに対して見やすい形態で表示し、情報の想起に役立てることが可能な情報処理システム、情報表示装置、該情報表示装置を実現するためのコンピュータプログラム、及び該コンピュータプログラムが記録されている記録媒体に関する。
【０００２】
【従来の技術】
近年、インターネット網の普及に伴い、ウェブブラウザのようなアプリケーション・ソフトウェアを利用してウェブサーバから所望の情報を取得することが広く行われている。
ウェブブラウザには、表示したウェブページのＵＲＬ（Ｕｎｉｆｏｒｍ　Ｒｅｓｏｕｒｃｅ　Ｌｏｃａｔｏｒ）を記憶させるためのブックマーク機能、履歴機能を有しており、過去に閲覧した情報、コンテンツ、ウェブページを検索する際には、このブックマーク機能、履歴機能が利用されることがある。
【０００３】
【特許文献１】
特開２００２−２０７７６６号公報
【０００４】
【発明が解決しようとする課題】
しかしながら、前述のようにブックマーク又は履歴として記憶させ、記憶させたブックマーク又は履歴の情報に基づき、過去に閲覧した情報、コンテンツ、ウェブページを検索する場合、ブックマーク又は履歴に関する情報が増えるに従い、所望の情報、コンテンツ、ウェブページが何処にあるかを見つけだすことが困難になるという問題点を有していた。
また、ウェブページの内容は、日々刻々と更新されることが多いため、ウェブページを閲覧した時点での情報を保存して、後日、過去に閲覧した情報の想起に役立てるようにしてあることが望まれる。
【０００５】
本発明は斯かる事情に鑑みてなされたものであり、検索すべき情報の入力を受付け、入力された情報が検索された場合、検索された第１情報と該第１情報に関連付けられている１又は複数の第２情報とを表示する構成とすることにより、過去に閲覧した情報に基づいて情報を想起させることができる情報処理システム、情報表示装置、該情報表示装置を実現するためのコンピュータプログラム、及び該コンピュータプログラムが記録されているコンピュータでの読取りが可能な記録媒体を提供することを目的とする。
【０００６】
【課題を解決するための手段】
第１発明に係る情報処理システムは、複数の第１情報、及び該第１情報の夫々に関連付けられている１又は複数の第２情報を記憶する記憶手段を備え、前記第１情報に対する検索要求を外部から受信し、受信した検索要求に基づいて前記記憶手段を検索した検索結果を前記検索要求の送信元へ送信する第１情報処理装置と、該第１情報処理装置へ検索要求を送信する手段、及び前記第１情報処理装置から送信された検索結果を受信する手段を備え、受信した検索結果を表示する第２情報処理装置とを備える情報処理システムにおいて、前記第１情報処理装置は、受信した検索要求に基づいて前記記憶手段に記憶された第１情報、及び該第１情報に関連付けられている１又は複数の第２情報を検索する手段と、該手段が検索した第１及び第２情報を送信する手段とを備え、前記第２情報処理装置は、受信した第１及び第２情報を表示する手段と、前記第１情報を表示した領域の近傍と前記第２情報を表示した各領域の近傍との間に線を表示する手段と、表示した第２情報から一の第２情報の選択を受付ける手段と、選択をされた第２情報に基づき前記第１情報とは別の第１情報に対する検索要求を前記第１情報処理装置に送信する手段とを備えることを特徴とする。
【０００７】
第２発明に係る情報処理システムは、前記第１情報処理装置において、複数の記憶手段を備え、複数の第１情報、及び該第１情報の夫々に関連付けられている１又は複数の第２情報を各記憶手段に記憶しており、検索要求を受信した際、複数の記憶手段から第１及び第２情報を検索すべくなしてあることを特徴とする。
【０００８】
第３発明に係る情報表示装置は、複数の第１情報、及び該第１情報の夫々に関連付けられている１又は複数の第２情報を記憶する記憶手段と、検索すべき情報の入力を受付ける手段と、該手段に入力された情報を前記記憶手段に記憶されている第１情報から検索する手段とを備え、該手段による検索結果を表示すべくなしてある情報表示装置において、検索された第１情報、及び該第１情報に関連付けられている１又は複数の第２情報を表示する手段と、前記第１情報を表示した領域の近傍と前記第２情報を表示した各領域の近傍との間に線を表示する手段と、表示した第２情報から一の第２情報の選択を受付ける手段と、受付けた選択に係る第２情報に基づき、前記第１情報とは別の第１情報を前記記憶手段から検索する手段とを備えることを特徴とする。
【０００９】
第４発明に係る情報表示装置は、第３発明に係る情報表示装置において、検索された第１情報を表示する際、前記第１情報が前記記憶手段に記憶されている数に基づき、表示すべき大きさを変更する手段を更に備えることを特徴とする。
【００１０】
第５発明に係る情報表示装置は、第３発明又は第４発明に係る情報表示装置において、前記記憶手段から削除すべき情報の入力を受付ける手段と、該手段から入力された情報を前記記憶手段に記憶されている第１情報及び第２情報から検索する手段と、検索された第１情報又は第２情報を前記記憶手段から削除する手段とを更に備えることを特徴とする。
【００１１】
第６発明に係る情報表示装置は、第３発明乃至第５発明の何れかの情報表示装置において、文書データの入力を受付ける手段と、入力された文書データを表示する手段と、表示した文書データから第１情報及び１又は複数の第２情報を抽出する手段と、抽出した第１情報及び第２情報を関連付けて前記記憶手段に記憶させる手段とを更に備えることを特徴とする。
【００１２】
第７発明に係る情報表示装置は、第６発明に係る情報表示装置において、前記文書データを表示した日付に係る日付情報を前記第１及び第２情報に関連付けて記憶する手段を備え、検索された第１情報を日付毎に表示可能になしてあることを特徴とする。
【００１３】
第８発明に係る情報表示装置は、第６発明又は第７発明に係る情報表示装置において、前記第１情報及び第２情報は、概念を有する文字列であることを特徴とする。
【００１４】
第９発明に係る情報表示装置は、第６発明乃至第８発明の何れかの情報表示装置において、通信回線を介して外部の情報処理装置へ接続する手段と、前記情報処理装置へ文書データの送信要求情報を送信する手段と、前記情報処理装置から送信された文書データを受信する手段とを更に備えることを特徴とする。
【００１５】
第１０発明に係るコンピュータプログラムは、コンピュータに、入力された検索すべき情報を、複数の第１情報の夫々に関連付けられている１又は複数の第２情報が予め記憶された記憶手段から検索させるステップと、該ステップによる検索結果を表示させるステップとを有するコンピュータプログラムにおいて、コンピュータに、検索された第１情報、及び該第１情報に関連付けられている１又は複数の第２情報を表示させるステップと、コンピュータに、前記第１情報を表示した領域の近傍と前記第２情報を表示した領域の近傍との間に線を表示させるステップと、コンピュータに、表示させた第２情報から一の第２情報の選択を受付けさせるステップと、コンピュータに、コンピュータに、前記選択に係る第２情報に基づき、前記第１情報とは別の第１情報を前記記憶手段から検索させるステップとを有することを特徴とする。
【００１６】
第１１発明に係るコンピュータでの読取りが可能な記録媒体は、コンピュータに、入力された検索すべき情報を、複数の第１情報の夫々に関連付けられている１又は複数の第２情報が予め記憶された記憶手段から検索させるステップと、該ステップによる検索結果を表示させるステップとを有するコンピュータプログラムが記録されているコンピュータでの読取りが可能な記録媒体において、コンピュータに、検索された第１情報、及び該第１情報に関連付けられている１又は複数の第２情報を表示させるステップと、コンピュータに、前記第１情報を表示した領域の近傍と前記第２情報を表示した領域の近傍との間に線を表示させるステップと、コンピュータに、表示させた第２情報から一の第２情報の選択を受付けさせるステップと、コンピュータに、コンピュータに、前記選択に係る第２情報に基づき、前記第１情報とは別の第１情報を前記記憶手段から検索させるステップとを有するコンピュータプログラムが記録されていることを特徴とする。
【００１７】
第１発明、第３発明、第１０発明、及び第１１発明にあっては、検索された第１情報と該第１情報に関連付けられた第２情報とを互いに線で結びつけて表示し、表示された第２情報が選択された場合、その第２情報に関連した第１情報を検索するようにしている。したがって、検索キーワードとして第１情報を入力した場合、第１情報に関連付けられている複数の第２情報が線で結びつけられて表示されるので、過去に閲覧した情報の想起に役立てることが可能となる。
【００１８】
第２発明にあっては、複数の記憶手段を備えており、各記憶手段に第１情報及び第２情報を記憶するようにしている。したがって、例えば、ユーザ毎に記憶手段を割り当てた場合、ユーザ自身と他のユーザとの間で情報の共有化が可能となり、情報の想起に役立てることが可能となる。
【００１９】
第４発明にあっては、検索された第１情報を表示する際、記憶手段に記憶されている第１情報の数に基づき、表示する大きさを変更するようにしている。したがって、ユーザにとって、重要な情報となり得る情報を強調して表示することが可能となる。
【００２０】
第５発明にあっては、削除すべき情報の入力を受付けるようにしており、ユーザにとって不要な情報、表示させる必要がない情報を予め削除することが可能となり、必要な情報の検索が容易となる。
【００２１】
第６発明にあっては、受付けた文書データから第１情報及び第２情報を抽出するようにしている。したがって、例えば、閲覧した文書ファイル、ウェブページ等から第１情報及び第２情報を抽出するため、情報の獲得が容易となり、更に過去に閲覧した文書ファイル、ウェブページ等に含まれる情報を想起させることが可能となる。
【００２２】
第７発明にあっては、文書データを表示した日付に関する情報を、前記文書データから抽出した第１情報及び第２情報に関連付けて記憶するようにしている。したがって、閲覧した情報に基づいて日付毎に情報を想起させることが可能となる。
【００２３】
第８発明にあっては、受付けた文書データから概念を有する文字列を抽出するようにしている。したがって、文書データに含まれるテキストから概念を有する文字列のみが抽出されるため、情報の想起に役立つ情報を容易に獲得することが可能となる。
【００２４】
第９発明にあっては、通信回線を通じて文書データを受付けるようにしている。したがって、文書データとしてウェブページを受信することが可能となり、過去に閲覧した情報の想起に役立てることが可能となる。
【００２５】
【発明の実施の形態】
以下、本発明をその実施の形態を示す図面に基づいて具体的に説明する。
実施の形態１．
図１は、本発明に係る情報表示装置の構成を示すブロック図である。図中１０は情報表示装置であり、具体的には、パーソナルコンピュータ、ワークステーション、又はＰＤＡ（パーソナル・デジタル・アシスタント）等のコンピュータである。情報表示装置１０には、予めウェブブラウザがインストールされており、ウェブブラウザを利用することにより、ウェブサーバ３０にアクセスすることができ、インターネット網Ｎを介してウェブページ、コンテンツ等の所望の情報を取得することが可能となる。すなわち、情報表示装置１０からの接続要求に応じて、情報表示装置１０とウェブサーバ３０との間にＴＣＰ／ＩＰによる接続が確保され、情報表示装置１０からの送信要求により所望のウェブページ、コンテンツ等の各種情報がウェブサーバ３０から送信される。本発明では、ウェブブラウザを利用してウェブページ、コンテンツ等の各種の情報を表示させたときに、１又は複数の複数のキーワードを抽出し、抽出したキーワードとウェブページ等に係るＵＲＬとを互いに関連付けて記憶するようにしている。
【００２６】
また、情報表示装置１０には、本発明のコンピュータプログラムにより提供される知識空間ブラウザ（図４参照）がインストールされている。知識空間ブラウザでは、ウェブブラウザに表示させたウェブページ等の各種の情報から抽出したキーワードをユーザに見やすい形態で表示するようにしている。
【００２７】
以下、情報表示装置１０の内部構成について説明する。情報表示装置１０はＣＰＵ１１を有しており、バス１２を介して、ＲＯＭ１３、ＲＡＭ１４、表示部１５、入力部１６、通信部１７、補助記憶装置１８、内部記憶装置１９等のハードウェアが接続されている。ＣＰＵ１１は、ＲＯＭ１３に予め格納された制御プログラムに従ってこれらのハードウェアを制御する。
【００２８】
ＲＡＭ１４は、ＳＲＡＭ又はフラッシュメモリ等で構成され、ＲＯＭ１３に格納された制御プログラムの実行時に発生するデータ、ウェブサーバ３０から送信された各種の情報を一時的に記憶する。
【００２９】
表示部１５は、ＣＲＴ、液晶ディスプレイ等の表示装置であり、入力部１６は、キーボード、マウス、ペン等の入力装置である。入力部１６は、ウェブブラウザ、知識空間ブラウザを操作する際に利用され、ウェブサーバ３０から送信されたウェブページ、コンテンツ等の各種の情報が表示部１５に表示される。
【００３０】
通信部１７は、モデム等の回線終端装置を備えており、インターネット網Ｎを介してウェブサーバ３０に対する接続要求、及びウェブサーバ３０が提供するウェブページ、コンテンツ等の情報に対する送信要求等を送信すると共に、ウェブサーバ３０から送信されるウェブページ、コンテンツ等の情報を受信する。通信部１７では、このようなインターネット網Ｎを介した情報の送受信を制御する。
【００３１】
補助記憶装置１８は、本発明のコンピュータプログラム、各種データを記録したＦＤ、ＣＤ−ＲＯＭ等の記録媒体２０からコンピュータプログラム、各種のデータを読取るＦＤドライブ、ＣＤ−ＲＯＭドライブ等からなり、読取られたコンピュータプログラム、各種データは、内部記憶装置１９に記憶される。
なお、本発明のコンピュータプログラムは、記録媒体２０によって提供されるだけでなく、インターネット網Ｎのような通信回線を通じて提供される形態であっても良いことは勿論のことである。
【００３２】
内部記憶装置１９は、ハードディスクのような記憶装置からなり、記憶領域の一部は、ユーザにより選択されたＵＲＬについての履歴を記憶する履歴データベース１９ａとして用いられており、必要に応じて履歴データベース１９ａにアクセスし、情報の記憶及び読取り処理が行われる。
【００３３】
なお、本実施の形態では、情報表示装置１０の内部記憶装置１９に履歴データベース１９ａを備えているが、履歴データベース１９ａは必ずしも情報表示装置１０の内部にある必要はなく、情報表示装置１０に接続した外部記憶装置を用意して、この外部記憶装置の内部に履歴データベース１９ａを設ける構成であってもよい。
【００３４】
図２は、本発明の情報表示装置１０の動作を説明する模式図である。情報表示装置１０のユーザは、内部記憶装置１９にインストールされているウェブブラウザ３００を利用してウェブサーバ３０に接続し、所望のウェブページを表示部１５に表示させることが可能である。表示したウェブページに貼られているリンク（ＵＲＬ）を入力部１６のマウス等により押下操作して選択した場合、当該ＵＲＬに係るウェブページを表示すると共に、当該リンクテキストに含まれるテキストデータからキーワードを抽出し、抽出したキーワード、リンクを選択した日時、及びリンク先のＵＲＬを互いに関連付けて履歴データベース１９ａに記憶する。
【００３５】
テキストデータからキーワードを抽出する方法として、大きく分けて２つの方法を利用することが可能である。１つは、字種による抽出方法であり、もう１つは、形態素解析による抽出方法である。
【００３６】
字種による抽出方法では、記号等の特殊文字及びひらがな以外の文字が２つ以上続いた文字列を抽出する手法である。すなわち、「明日の天気は、曇りのち快晴です。」といったテキストデータからキーワードを抽出する場合、「明日」、「天気」、「快晴」がキーワードとして抽出される。本抽出方法による場合、抽出処理を短時間で行うことが可能であるため、リアルタイムにキーワードを抽出することも可能である。なお、記号等の特殊文字及びひらがな以外の文字が３つ以上続いた場合にのみ、キーワードとして抽出する形態であってもよい。
また、キーワードを抽出した後、ヒューリスティック法、不要語リスト法等を用いて不要語処理を行うことも可能である。ヒューリスティック法は、例えば、「具体的」というように最後に「的」のついた文字列、「１０」、「２００」のように数字のみからなる文字列をキーワードにしないという手法である。不要語リスト法とは、ユーザが不要語として登録した文字列をキーワードにしないというものである。
【００３７】
形態素解析による抽出方法では、それ自体公知のアルゴリズムにより、品詞分解した後、名詞が連続するもの等がキーワードとして抽出される。すなわち、「つくば市の○○ホールにて合唱コンクールが開催されます。」といったテキストデータがある場合、「つくば市」、「○○ホール」「合唱コンクール」「開催」がキーワードとして抽出される。形態素解析による抽出方法では、字種による抽出方法と異なり、ひらがなを含むキーワードを抽出することができるという利点を有する。また、前述と同様に、キーワードを抽出した後、ヒューリスティック法、不要語リスト法等による不要語処理を行うことも可能である。
【００３８】
知識空間ブラウザ１００では、前述のようにして抽出したキーワードを検索できるようにしてあり、検索されたキーワードは、そのキーワードに関連付けられている関連キーワードと共に所定の形式にて表示される。また、表示された関連キーワードを選択して、その関連キーワードに関連付けられている他の関連キーワードを履歴データベース１９ａから検索できるようになっており、検索された関連キーワードが所定の形式にて表示されるようになっている。検索手法としては、完全一致による検索、及び部分一致による検索の双方を利用することができる。
【００３９】
図３は、履歴データベース１９ａの一例を示す概念図である。前述したように、情報表示装置１０の表示部１５に表示させたウェブページにおいて、ユーザがマウス等を利用してリンクを押下操作した場合、リンクテキストに含まれるテキストデータからキーワードが抽出される。そして、抽出された１又は複数のキーワードは、そのリンクを選択した日時、リンク先のウェブページのＵＲＬと共に互いに関連付けられて履歴データベース１９ａに記憶される。例えば、図３に示した例では、「ｗｗｗ．ａａａ．ｊｐ」というＵＲＬで表されるリンクが、２００１年１２月７日、１４時８分に選択されており、そのリンクテキストから「外化記憶」、「システム」、…、「テーマ」の各キーワードが抽出され、キーワード群として履歴データベース１９ａに記憶されている。
【００４０】
図４は、知識空間ブラウザ１００の画面例を説明する模式図である。知識空間ブラウザ１００は、知識空間の新規作成、ブラウザの終了等を指示するためのメニューバー１０１、各種機能ボタン（１０２〜１０８，１１１〜１１３）、知識空間を表示するための表示フィールド１０９、履歴データベース１９ａの一部又は全部を表示するための表示フィールド１１０を備えている。表示フィールド１０９の右端及び下端にはスライダボタン１０９ａ，１０９ｂが配置されている。また、表示フィールド１１０の右端及び下端にも同様にスライドボタン１１０ａ，１１０ｂが配置されている。各スライダボタン１０９ａ，１０９ｂ，１１０ａ，１１０ｂを操作することにより、表示フィールド１０９，１１０に表示されていない領域を表示させることができる。
【００４１】
知識空間ブラウザ１００の左端に表示される各種機能ボタンとしては、スクランブルボタン１０２、停止ボタン１０３、ノード獲得ボタン１０４、検索ボタン１０５、検索キーワード記入欄１０６、ノード表示ボタン１０７、及び削除ボタン１０８がある。また、表示フィールド１１０の左側には、ＵＲＬオープンボタン１１１、不要語登録ボタン１１２、不要ＵＲＬ登録ボタン１１３が配置されている。
【００４２】
知識空間ブラウザ１００に知識空間を表示する際、ユーザは、まず検索キーワードを検索キーワード記入欄１０６に入力する。検索キーワードを入力してマウス等の操作により検索ボタン１０５を押下操作した場合、当該検索キーワードを含むウェブページのＵＲＬ等の情報が表示フィールド１１０に表示される。そして、ノード表示ボタン１０７が押下操作した場合、その検索キーワードを含むキーワード群から関連キーワードが検索されて、所定の形式にて表示フィールド１０９に表示される。
【００４３】
「記憶」を検索キーワードとして検索してノード表示ボタン１０７を押下操作した場合、図４に示したように「記憶」と表示されたノード１２０と、その検索キーワードに関連付けられている関連キーワードが表示されたノード１２１ａ〜１２１ｈ，１３０が表示される。また、検索キーワードに係るノード１２０と関連キーワードに係るノード１２１ａ〜１２１ｈ，１３０とを結ぶ連結線１２２ａ〜１２２ｈ，１２５を表示して、互いに関連があることを明示している。
【００４４】
また、関連キーワードに係るノードをマウスにより押下操作して選択した後、ノード獲得ボタン１０４を押下操作した場合、その関連キーワードが検索キーワード記入欄１０６に入力される。すなわち、関連キーワードを検索キーワードにして履歴データベース１９ａから検索することが可能となる。図４には、「再生」と表示されたノード１３０を選択して検索させ、ノードを表示させた例を示している。「再生」という検索キーワードに係るノード１３０の周りに関連キーワードに係るノード１３１ａ〜１３１ｄが表示されると共に、ノード１３０とノード１３１ａ〜１３１ｄとを互いに結びつけた連結線１３２ａ〜１３２ｄが表示される。このように、検索に係るキーワードと該キーワードに関連したキーワードとを互いに結びつけて表示した空間のことを知識空間と呼ぶ。
【００４５】
なお、関連キーワードに係るノード１２１ａ〜１２１ｈ，１３１ａ〜１３１ｄを、検索キーワードに係るノード１２０，１３０の周囲に放射状に配置して表示させているが、知識空間を形成する初期段階において必ずしも放射状に配置させている必要はなく、各関連キーワードに係るノード１２１ａ〜１２１ｈ，１３１ａ〜１３１ｄが重なり合って表示する形態であってもよい。この場合、スクランブルボタン１０２を押下操作することによって、例えば、ばねモデルに従って各ノード１２１ａ〜１２１ｈ，１３１ａ〜１３１ｄの表示位置を移動させ、重なり合いが解けるようにしている。表示位置の移動は、停止ボタン１０３が押下操作されたときに停止される。
【００４６】
また、表示フィールド１０９にてノードを選択した後、不要語登録ボタン１１２を押下操作することによって、当該ノードを次回から表示させないようにすることも可能である。同様に、表示フィールド１１０にてＵＲＬを選択した後、不要ＵＲＬ登録ボタン１１３を押下操作することによって、当該ＵＲＬに係るウェブページを表示させないようにすることも可能である。
【００４７】
また、表示フィールド１１０に表示されているＵＲＬを選択した後、ＵＲＬオープンボタン１１１が押下操作された場合、当該ＵＲＬに係るウェブページがウェブブラウザに表示されるようになっている。すなわち、知識空間が表示フィールド１０９に表示されるだけでなく、知識空間を探訪しながら過去に閲覧したＵＲＬ（ウェブページ）を再度閲覧することが可能となる。
【００４８】
図５及び図６は、知識空間の形成手順を説明する模式図である。図５（ａ）は履歴データベース１９ａを簡略化した概念図であり、この履歴データベース１９ａに基づいて知識空間を形成する手順について説明する。
【００４９】
知識空間ブラウザ１００の検索キーワード記入欄１０６に検索キーワードとしてキーワード「Ａ」を入力して、履歴データベース１９ａを検索させた場合、キーワード「Ａ」は、ＵＲＬ１を指定するリンクテキストから抽出したキーワード群に含まれるので、図５（ｂ）に示したように、キーワード「Ａ」を検索キーワードのノード１４０として表示フィールド１０９に表示すると共に、キーワード「Ｂ」，「Ｃ」を関連キーワードのノード１４１ａ，１４１ｂとして表示する。また、各ノード間に連結線１４２ａ，１４２ｂを表示する。
【００５０】
次いで、ノード１４１ａが選択され、検索ボタン１０５が押下操作された場合、キーワード「Ｂ」を含むキーワード群が選択される。すなわち、ＵＲＬ１及びＵＲＬ２を指定するリンクテキストから抽出したキーワード群が選択される。このとき、ノード１４１ａ（１５０）とノード１４０ｂとの間に連結線１４２ｃを表示する。そして、キーワード「Ｄ」，「Ｅ」，「Ｆ」を関連キーワードのノード１５１ａ，１５１ｂ，１５１ｃとして表示し、各ノード間に連結線１５２ａ，１５２ｂ，１５２ｃを表示する。また、実際に検索された回数に応じて各ノードを表示させるときの大きさを変更することも可能である。図５（ｃ）に示した例では、キーワード「Ｂ」が２回検索されているため、他のキーワードよりも大きく表示している。なお、履歴データベース１９ａにおけるキーワードの出現頻度に応じて各ノードを表示する大きさを変えても良い。この場合、図５（ｂ）の如く表示した段階でキーワード「Ｂ」のノード１４１ａ（１５０）を大きく表示する。
【００５１】
同様に、キーワード「Ｆ」に係るノード１５１ｃが選択され、検索ボタン１０５が押下操作された場合、キーワード「Ｆ」を含むキーワード群が選択される。すなわち、ＵＲＬ２及びＵＲＬ４で指定されるリンクテキストから抽出したキーワード群が選択される。そして、キーワード「Ｈ」を関連キーワードのノード１６１として表示するとともに、ノード間に連結線１６２ａ，１６２ｂ，１６２ｃを表示する。
【００５２】
図７は、本発明の情報表示装置１０による処理手順を説明するフローチャートである。ユーザは、まず、情報表示装置１０を利用してウェブサーバ３０に接続し、所望のウェブページを取得する（ステップＳ１）。次いで、情報表示装置１０は、前述した手法を用いてキーワードを抽出し（ステップＳ２）、リンクが選択された日時、リンク先のウェブページのＵＲＬと共に抽出したキーワードを履歴データベース１９ａに記憶させる（ステップＳ３）。
【００５３】
次いで、知識空間ブラウザ１００を起動する（ステップＳ４）。情報表示装置１０のＣＰＵ１１は、検索キーワード記入欄１０６に検索キーワードが入力されたか否かを判断する（ステップＳ５）。検索キーワードが入力されていない場合（Ｓ５：ＮＯ）、検索キーワードが入力されるまで待機する。
【００５４】
検索キーワードが入力され（Ｓ５：ＹＥＳ）、検索ボタン１０５が押下操作された場合、履歴データベース１９ａを検索する（ステップＳ６）。そして、入力されたキーワードに関連した関連キーワードがあるか否かを判断し（ステップＳ７）、関連キーワードがない場合（Ｓ７：ＮＯ）、処理をステップＳ５へ戻して検索キーワードの入力待ちにする。
【００５５】
関連キーワードがある場合（Ｓ７：ＹＥＳ）、知識空間の作成を行う（ステップＳ８）。知識空間の作成は、前述したように、検索キーワードに係るノードの周囲に関連キーワードに係るノードを表示し、それらのノード間を結ぶ連結線を表示することによって行う。
【００５６】
次いで、知識空間ブラウザ１００による表示を終了するか否かを判断し（ステップＳ９）、終了しない場合（Ｓ９：ＮＯ）、処理をステップＳ５へ戻す。そして、検索キーワード記入欄１０６に新たな検索キーワードが入力されるか、又はノード獲得ボタン１０４が押下操作されて、検索キーワードが入力されるまで待機する。知識空間ブラウザ１００による表示を終了する場合（Ｓ９：ＹＥＳ）、本発明の情報表示装置１０による処理を終了する。
【００５７】
なお、ステップＳ１〜Ｓ３の処理、及びステップＳ４〜Ｓ１２の処理は夫々独立した２つのアプリケーション（ウェブブラウザ及び知識空間ブラウザ）による処理であるため、それらを独立して実行できることは勿論である。
【００５８】
本実施の形態では、表示させたウェブページに貼られているリンクを選択した際に、そのリンクに係るリンクテキストからキーワードを抽出して履歴データベース１９ａを構築する構成としたが、ワードプロセッサ等のアプリケーション・ソフトウェアにより作成された文書データを表示させたときにキーワードを抽出するようにしてもよい。
【００５９】
また、本実施の形態では、表示させたウェブページに貼られているリンクを選択した際に、そのリンクに係るリンクテキストからキーワードを抽出して履歴データベース１９ａを構築する構成としたが、入力部１６等を利用してユーザが作成した履歴データベース１９ａと同様の構成のデータベースがある場合、このデータベースを用いて知識空間を作成することも可能である。
【００６０】
また、キーワードの抽出対象は、必ずしもリンクテキストに限定されるものではなく、ウェブページのタイトル要素からキーワードを抽出するようにしても良く、また、ウェブページ全体を対象にして、その中の重要語をキーワードとして抽出するようにしても良い。
【００６１】
更に、履歴データベース１９ａに記憶されている各キーワード群は、リンクが選択された日時に関連付けて記憶しているので、ユーザが任意に選んだ期間毎に知識空間を作成することも可能である。
【００６２】
実施の形態２．
前述の実施の形態では、情報表示装置１０の内部に履歴データベース１９ｂを構築し、その履歴データベース１９ｂに基づいて知識空間を作成する構成であったが、ウェブサーバ側にて履歴データベースを構築し、ウェブサーバ内で作成した知識空間をコンテンツとして提供することも可能である。知識空間はユーザが閲覧したウェブページの情報を視覚的に表現したものであるから、ユーザは、前記ウェブサーバから提供される知識空間をサイト内検索の結果として利用することも可能となる。
【００６３】
図８は本実施の形態に係る情報処理システムの構成を説明する模式図である。図中４０は、通常のウェブブラウザが予めインストールされた情報表示装置であり、具体的にはパーソナルコンピュータ、ワークステーション、ＰＤＡ等の端末装置である。情報表示装置４０はインターネット網Ｎを介してウェブサーバ５０に接続されており、情報表示装置４０のユーザはウェブブラウザを利用することによって所望のコンテンツを取得することが可能となっている。
【００６４】
ウェブサーバ５０は、情報表示装置４０に提供すべきコンテンツを含んだウェブページ（以下、コンテンツページという）を有しており、情報表示装置４０からの要求に応じてそれらを送信するようにしている。また、ウェブサーバ５０には履歴データベース５１が接続されており、コンテンツページを情報表示装置４０に送信した際、すなわち、情報表示装置４０側でこれらのコンテンツページを表示した際、当該コンテンツページからキーワードを抽出して履歴データベース５１に記憶するようにしている。
そして、情報表示装置４０からサイト内検索の要求を受けた場合、前記履歴データベース５１を参照して知識空間を作成し、作成した知識空間を情報表示装置４０側で表示可能なコンテンツとして送信するようにしている。
【００６５】
図９は、本実施の形態に係る情報処理システムの処理手順を説明するフローチャートである。情報表示装置４０にてウェブブラウザが起動され（ステップＳ３１）、ウェブサーバ５０が提供するサイトへのアクセス要求がユーザの指示により行われた場合、情報表示装置４０は前記サイトへのアクセス要求をウェブサーバ５０に送信する（ステップＳ３２）。
【００６６】
ウェブサーバ５０がサイトへのアクセス要求を受信した場合（ステップＳ３３）、当該サイトのコンテンツページをアクセス要求の送信元である情報表示装置４０に送信する（ステップＳ３４）。
【００６７】
情報表示装置４０は、ウェブサーバ５０から送信されたコンテンツページを受信した場合（ステップＳ３５）、そのコンテンツページに基づいてウェブブラウザ上にコンテンツを表示するとともに、前記サイトに対するサイト内検索の要求を受付けたか否かを判断する（ステップＳ３６）。サイト内検索の要求を受付けていない場合（Ｓ３６：ＮＯ）、要求を受付けるまで待機し、サイト内検索の要求を受付けた場合（Ｓ３６：ＹＥＳ）、ウェブサーバ５０にサイト内検索の要求を送信する（ステップＳ３７）。
【００６８】
ウェブサーバ５０がサイト内検索の要求を受信した場合（ステップＳ３８）、ステップＳ３４にて送信したコンテンツページに基づいて履歴データベース５１を生成する（ステップＳ３９）。具体的には前記コンテンツページのＵＲＬを起点として指定したドメインからコンテンツページを収集し、収集したコンテンツページに含まれるリンクテキストからキーワードを抽出する。キーワードの抽出には、前述した字種による抽出方法、形態素解析による抽出方法等を用いることができる。
【００６９】
次いで、ウェブサーバ５０は、履歴データベース５１に記憶されているキーワードに基づき知識空間を生成する（ステップＳ４０）。そして、生成した知識空間を検索結果として情報表示装置４０に送信する（ステップＳ４１）。
【００７０】
情報表示装置４０は、ウェブサーバ５０から送信された検索結果を受信した場合（ステップＳ４２）、検索結果（知識空間）をウェブブラウザ上に表示する（ステップＳ４３）。
【００７１】
図１０は、履歴データベース５１の一例を示す概念図である。履歴データベース５１は、情報表示装置４０に送信したコンテンツページのＵＲＬを起点として収集したコンテンツページのＵＲＬ、収集したコンテンツページに含まれるリンクテキストから抽出したキーワード、及び日時を関連付けて記憶する。例えば、図１０に示した例において、「ＵＲＬ２」が起点となるコンテンツページのＵＲＬ、「ＵＲＬ５」及び「ＵＲＬ６」を指定したドメインとした場合、「ＵＲＬ５」及び「ＵＲＬ６」により指定されるコンテンツページを取得し、そのコンテンツページに含まれるリンクテキストからキーワードを抽出して履歴データベース５１に追加するようにしている。
【００７２】
なお、本実施の形態では、サイト内検索の要求を受信したときに履歴データベース５１を生成する構成としたが、サイトへのアクセス要求を受信する度に該当コンテンツページから履歴データベース５１を生成しておき、過去の所定期間に閲覧されたコンテンツページに関する知識空間を生成するようにしても良い。
また、本実施の形態では、履歴データベース５１をウェブサーバ５０に外付けにする構成としたが、ウェブサーバ５０の内部に備える構成であっても良いことは勿論のことである。
【００７３】
実施の形態３．
実施の形態２ではウェブサーバ５０が一つのデータベースを備え、サイト内検索の要求を受信した際に履歴データベース５１を構築して知識空間を生成するようにしていたが、複数のデータベースを用意してユーザ毎に割り当てることも可能である。複数のユーザの履歴データベースを参照して知識空間を生成することで、複数のユーザ間で情報（知識）の共有化が可能となる。
【００７４】
図１１は本実施の形態に係る情報処理システムの構成を説明する模式図である。図中４０Ａ，４０Ｂ，４０Ｃは、通常のウェブブラウザが予めインストールされた情報表示装置であり、具体的にはパーソナルコンピュータ、ワークステーション、ＰＤＡ等の端末装置である。情報表示装置４０Ａ，４０Ｂ，４０Ｃはインターネット網Ｎを介してウェブサーバ５０に接続されており、情報表示装置４０Ａ，４０Ｂ，４０Ｃのユーザはウェブブラウザを利用することによって所望のコンテンツを取得することが可能となっている。なお、以下では夫々の情報表示装置４０Ａ，４０Ｂ，４０Ｃを区別して表す必要がない場合には、それらをまとめて情報表示装置４０と記載することとする。
【００７５】
ウェブサーバ５０は、情報表示装置４０に提供すべきコンテンツを含んだウェブページ（以下、コンテンツページという）を有しており、情報表示装置４０からの要求に応じてそれらを送信するようにしている。また、ウェブサーバ５０には、各ユーザ毎に割り当てたユーザデータベース５１ａ，５１ｂ，５１ｃ，…を備える履歴データベース５１が接続されており、各ユーザの要求に応じてコンテンツページを情報表示装置４０に送信した際、そのコンテンツページからキーワードを抽出して当該ユーザに割り当てられているユーザデータベース５１ａ（５１ｂ，５１ｃ，…）に記憶するようにしている。
そして、情報表示装置４０からサイト内検索の要求を受けた場合、複数のユーザデータベース５１ａ，５１ｂ，５１ｃ，…を参照して知識空間を作成するようにしている。
【００７６】
図１２は各データベースの一例を示す概念図である。図１２（ａ）〜図１２（ｃ）はユーザデータベース５１ａ〜５１ｃの一例を示している。
ウェブサーバ５０ではサイト又は特定のコンテンツへのアクセス要求がなされた場合、ユーザ認証を行うようにしており、認証されたユーザに対して割り当てられているユーザデータベース５１ａ（５１ｂ，５１ｃ，…）に日時、ＵＲＬ、及びリンクテキストから抽出したキーワードを記憶するようにしている。このとき、前述と同様にして起点となるコンテンツページのＵＲＬ、及び指定したドメインからコンテンツページを収集し、収集したコンテンツページに含まれるリンクテキストからキーワードを抽出するようにしている。
【００７７】
図１３は知識空間の表示例を示す模式図である。ウェブサーバ５０は複数のユーザデータベース５１ａ，５１ｂ，５１ｃ，…を参照し、前述したアルゴリズムを利用することによって知識空間を作成することができる。
本実施の形態では、ユーザ認証を行っているため他のユーザと区別することが可能であるため、例えば、知識空間を要求したユーザ自身が閲覧したコンテンツページに含まれるキーワードを矩形等で囲んで表示し、その他のユーザが閲覧したコンテンツページに含まれるキーワードを楕円等で囲んで表示することにより、両者を区別することができる。
【００７８】
また、本実施の形態では、履歴データベース５１をウェブサーバ５０に外付けにする構成としたが、ウェブサーバ５０の内部に備える構成であっても良いことは勿論のことである。
【００７９】
【発明の効果】
以上、詳述したように、第１発明、第３発明、第１０発明、及び第１１発明による場合は、検索された第１情報と該第１情報に関連付けられた第２情報とを互いに線で結びつけて表示し、表示された第２情報が選択された場合、その第２情報に関連した第１情報を検索するようにしている。したがって、検索キーワードとして第１情報を入力した場合、第１情報に関連付けられている複数の第２情報が線で結びつけられて表示されるので、過去に閲覧した情報の想起に役立てることが可能となる。
【００８０】
第２発明による場合は、複数の記憶手段を備えており、各記憶手段に第１情報及び第２情報を記憶するようにしている。したがって、例えば、ユーザ毎に記憶手段を割り当てた場合、ユーザ自身と他のユーザとの間で情報の共有化が可能となり、情報の想起に役立てることが可能となる。
【００８１】
第４発明による場合は、検索された第１情報を表示する際、記憶手段に記憶されている第１情報の数に基づき、表示する大きさを変更するようにしている。したがって、ユーザにとって、重要な情報となり得る情報を強調して表示することが可能となる。
【００８２】
第５発明による場合は、削除すべき情報の入力を受付けるようにしており、ユーザにとって不要な情報、表示させる必要がない情報を予め削除することが可能となり、必要な情報の検索が容易となる。
【００８３】
第６発明による場合は、受付けた文書データから第１情報及び第２情報を抽出するようにしている。したがって、例えば、閲覧した文書ファイル、ウェブページ等から第１情報及び第２情報を抽出するため、情報の獲得が容易となり、更に過去に閲覧した文書ファイル、ウェブページ等に含まれる情報を想起させることが可能となる。
【００８４】
第７発明による場合は、文書データを表示した日付に関する情報を、前記文書データから抽出した第１情報及び第２情報に関連付けて記憶するようにしている。したがって、閲覧した情報に基づいて日付毎に情報を想起させることが可能となる。
【００８５】
第８発明による場合は、受付けた文書データから概念を有する文字列を抽出するようにしている。したがって、文書データに含まれるテキストから概念を有する文字列のみが抽出されるため、情報の想起に役立つ情報を容易に獲得することが可能となる。
【００８６】
第９発明による場合は、通信回線を通じて文書データを受付けるようにしている。したがって、文書データとしてウェブページを受信することが可能となり、過去に閲覧した情報の想起に役立てることが可能となる等、本発明は優れた効果を奏する。
【図面の簡単な説明】
【図１】本発明に係る情報表示装置の構成を示すブロック図である。
【図２】本発明の情報表示装置の動作を説明する模式図である。
【図３】履歴データベースの一例を示す概念図である。
【図４】知識空間ブラウザの画面例を説明する模式図である。
【図５】知識空間の形成手順を説明する模式図である。
【図６】知識空間の形成手順を説明する模式図である。
【図７】本発明の情報表示装置による処理手順を説明するフローチャートである。
【図８】本実施の形態に係る情報処理システムの構成を説明する模式図である。
【図９】本実施の形態に係る情報処理システムの処理手順を説明するフローチャートである。
【図１０】履歴データベースの一例を示す概念図である。
【図１１】本実施の形態に係る情報処理システムの構成を説明する模式図である。
【図１２】各データベースの一例を示す概念図である。
【図１３】知識空間の表示例を示す模式図である。
【符号の説明】
１０，４０　情報表示装置
１１　ＣＰＵ
１２　バス
１３　ＲＯＭ
１４　ＲＡＭ
１５　表示部
１６　入力部
１７　通信部
１８　補助記憶装置
１９　内部記憶装置
１９ａ，５１　履歴データベース
２０　記録媒体
３０，５０　ウェブサーバ
１００　知識空間ブラウザ
３００　ウェブブラウザ
【図１】
2004054918.tif 000003
【図２】
2004054918.tif 000004
【図３】
2004054918.tif 000005
【図４】
2004054918.tif 000006
【図５】
2004054918.tif 000007
【図６】
2004054918.tif 000008
【図７】
2004054918.tif 000009
【図８】
2004054918.tif 000010
【図９】
2004054918.tif 000011
【図１０】
2004054918.tif 000012
【図１１】
2004054918.tif 000013
【図１２】
2004054918.tif 000014
【図１３】
2004054918.tif 000015